(57)【要約】【課題】  ガス富化機能と排気機能を備えたガス富化装置を提供する。【解決手段】  酸素富化膜ユニット６の前後に差圧を発生させる差圧発生手段３と、酸素富化膜ユニット６の下流側と外気を連通する接続管６ｂを開閉する開閉手段４と、室内に連通する経路１を有し、酸素の濃度を高めて前記経路１を介して室内に富化ガスを供給する酸素富化装置２であって、前記開閉手段４を開放した状態で、室内側の空気を前記差圧発生手段３で、前記経路１を経て前記接続管６ｂより外部に排出するように空気の流れ方向を変更する流路切換手段７を設け、前記流路切換手段７で酸素富化運転と排気運転を切り換える。【選択図】  図２ 
2005058938.tif 000002
【特許請求の範囲】
【請求項１】
ガス富化膜と、このガス富化膜の前後に差圧を発生させる差圧発生手段と、前記ガス富化膜の下流側と外気を連通する連通路と、前記連通路を開閉する開閉手段と、室内に連通する経路を有し、室外側から吸引した空気の所定ガスの濃度を高めて前記経路を介して室内に富化ガスを供給するガス富化装置であって、前記開閉手段を開放した状態で、室内側の空気を前記差圧発生手段により前記経路を経て前記連通路より外部に排出できるように空気の流れ方向を変更する流路切換手段を有することを特徴とするガス富化装置。
【請求項２】
室内側の空気を外部に排出する時に、少なくともガス富化膜の下流側への流路を閉じる富化膜側開閉手段を有することを特徴とする請求項１記載のガス富化装置。
【請求項３】
流路切換手段で定期的又は間欠的に流れ方向を変更することを特徴とする請求項１または２記載のガス富化装置。
【請求項４】
流路の一部に流量検知手段を設け、前記流量検知手段で所定流量以下を検知した場合、流路切換手段により流れ方向を変更することを特徴とする請求項１〜３のいずれか１項記載のガス富化装置。
【請求項５】
流路の閉塞状態を検知する閉塞検知手段もしくは閉塞状態を推定する閉塞推定手段を有し、所定ガスの富化動作中に前記閉塞検知手段もしくは前記閉塞推定手段により閉塞状態が検知あるいは推定された場合に、閉塞状態検知あるいは推定が解除されるまでの間、流路切換手段により空気を室内側から室外側へ流すことを特徴とする請求項１〜４のいずれか１項記載のガス富化装置。
【請求項６】
請求項１〜５のいずれか１項記載のガス富化装置を具備するとともに、室内側に富化ガスを放出する送風手段を有することを特徴とする送風装置。
【発明の詳細な説明】
【技術分野】
【０００１】
本発明は、空気中の所定のガスの濃度を他のガスに対して相対的に向上させるガス富化装置及びそれを用いた送風装置に関するものである。
【背景技術】
【０００２】
従来、ガス富化膜を用いて特定のガス濃度を相対的に向上させる酸素富化装置や窒素富化装置などを医療用の酸素富化装置、空気調和機、空気清浄機などの機器へ応用したものが種々発明されている。
【０００３】
例えば酸素濃度を向上させるものとして、分離型空気調和機の室外機に酸素富化手段を設け、酸素が富化された空気を送出配管を通して室内機に送り、それを室内に放出して被空調空間である室内の酸素濃度を向上させて、居住者の快適性を向上させるようにしたものがある。
【０００４】
一方、ガス透過膜のひとつである酸素富化膜は、空気成分の大半を占める窒素と分離させ選択的に酸素を透過させるものの、現在実用化されている酸素富化膜は酸素と同時に少なくとも空気中の水分も透過させる特徴を持っている。
【０００５】
即ち、酸素富化膜の１次側（上流側）の空気に対して、膜を透過した２次側（下流側）では窒素が分離された分だけ相対的に湿度が高くなり露点が１次側の空気に比べて上昇するため、膜の２次側に接続され酸素富化空気を送る配管中でしばしば結露水を発生させてしまうことが知られている。
【０００６】
上記結露水が空気調和機の室内機側で放散されて、室内を濡らしたり、居住者に降りかかって不快感を与えたりしないようにするために、室内機において、酸素富化空気の輸送管路に、酸素富化空気を冷却して含有水分を結露させる熱交換器と、その後流側に水分離器を介装して、水分が室内に飛散するのを未然に防止するようにしたものがある（例えば、特許文献１参照）。
【０００７】
このように、ガス透過膜や、ＰＳＡ法など吸着材などを用いたガス富化操作では酸素に限らず、分離装置の２次側では必然的に相対湿度が上がり、即ち空気の露点が上昇するために結露を発生しやすくなる傾向がある。
【０００８】
つまり、ガス透過膜の２次側の富化空気の輸送管路が低温化に暴露される場合（例えば、輸送管路が屋外大気に暴露されており、外気温度が低くなる場合）輸送管路の内部で結露水が凍結して酸素富化した空気が室内に搬送できなくなったり、輸送管路中に結露水が発生し、減圧手段が起動する際に負荷を重くし、減圧手段が正常に起動できないという問題があった。
【０００９】
このような問題を解決するために、ガス透過膜を具備するガス透過膜ユニットと、このガス透過膜ユニットの一方の側を減圧させて空気を吸引する減圧手段とを有して構成されるガス富化装置に関し、ガス透過膜ユニットと減圧手段とを通気可能に連結する管路または減圧手段の吸い込み側経路に開閉手段を介装して外気を直接導入する外気導入管を設けるとともに、前記減圧手段の運転開始に応じて前記開閉手段を開閉させる制御手段を設け、低外気温でも酸素富化された空気の管路内部の水分排出による空気流量の確保ができることや減圧手段の低温起動時のトルク不足にも効果を有する酸素富化装置もあった。またこのような酸素濃度向上といった空質要求と同様に、臭いやホコリまたＣＯ２といった室
内の不快成分の空気を室外に排出し空質を向上するいわゆる排気機能に対する要求も徐々に高まりつつある。
【特許文献１】特開平５−１１３２２７号公報（図１、段落００１４参照）
【発明の開示】
【発明が解決しようとする課題】
【００１０】
しかしながら、このような従来の技術では、酸素濃度向上機能と排気機能を両立しようとすると、酸素富化空気送出用の配管と排気用の配管をそれぞれ設置しなければならないため、施工上かなり困難になっていた。また、酸素富化空気送出用とは別に排気用のファン及びファンモータも設置しなければならずコストの低減及びシステムを小型化することが困難であった。
【００１１】
本発明は、上記従来の課題を解決するもので、酸素富化空気送出機能と排気機能を同一システムで実現し、配管を共用することで施工が容易で、大幅なコスト削減及び省スペース化を図ったガス富化装置並びにそれを用いた送風装置を提供することを目的とするものである。
【課題を解決するための手段】
【００１２】
上記従来の課題を解決するための本発明のガス富化装置は、ガス富化膜と、このガス富化膜の前後に差圧を発生させる差圧発生手段と、前記ガス富化膜の下流側と外気を連通する連通路と、前記連通路を開閉する開閉手段と、室内に連通する経路を有し、室外側から吸引した空気の所定ガスの濃度を高めて前記経路を介して室内に富化ガスを供給するガス富化装置であって、前記開閉手段を開放した状態で、室内側の空気を前記差圧発生手段により前記経路を経て前記連通路より外部に排出できるように空気の流れ方向を変更する流路切換手段を有するもので、流路切換手段を切り換えるだけで、同一の経路、差圧発生手段を使って、富化ガスを室内に導入したり、逆に室内の汚れた空気を外部に排出することができるようになる。
【００１３】
また、本発明のガス富化装置は、上記請求項１〜５のいずれか１項記載のガス富化装置を具備するとともに、室内側に富化ガスを放出する送風手段を有する送風装置としたもので、送風手段により、酸素などのガス富化空気が室内に均等に送風されるので、室内の誰もが非常に快適に、しかも新鮮な気分で過ごすことができるようになる。
【発明の効果】
【００１４】
本発明のガス富化装置は、流路切換手段を操作するだけで、酸素富化機能と排気機能が自由に使い分けられ、しかも酸素富化供給用の配管と排気用の配管が共用することで、施工を大幅に簡易化するだけでなく、さらに排気手段を室外側に移行させることで室内機の小型化をも実現することができる。
【発明を実施するための最良の形態】
【００１５】
第１の発明は、  ガス富化膜と、このガス富化膜の前後に差圧を発生させる差圧発生手段と、前記ガス富化膜の下流側と外気を連通する連通路と、前記連通路を開閉する開閉手段と、室内に連通する経路を有し、室外側から吸引した空気の所定ガスの濃度を高めて前記経路を介して室内に富化ガスを供給するガス富化装置であって、前記開閉手段を開放した状態で、室内側の空気を前記差圧発生手段により前記経路を経て前記連通路より外部に排出できるように空気の流れ方向を変更する流路切換手段を有するもので、流路切換手段を切り換えるだけで、同一の経路、差圧発生手段を使って、富化ガスを室内に導入したり、逆に室内の汚れた空気を外部に排出することができるようになる。
【００１６】
第２の発明は、室内側の空気を外部に排出する時に、少なくともガス富化膜の下流側への流路を閉じる富化膜側開閉手段を設けたもので、ガス富化膜への逆圧印加を防止することで、ガス富化膜の破裂破損を防止し、より信頼性の高いガス富化装置を実現することが可能となる。
【００１７】
第３の発明は、流路切換手段で、定期的又は間欠的に流れ方向を変更するもので、大気を導入する際にガス富化装置内に異物が入らないようにする為に設けたフイルターに付着した異物を、流れ方向変更手段により逆圧を印加することではじきとばすことが可能となり、大気導入時の流量を長期的に確保できるようになる。さらに、低外気温時の富化ガス管路内部の水分排出するための空気流量、また差圧発生手段の低温起動時のトルク不足を補助する空気流量を長期的に保証することができ、信頼性の高いガス富化装置を提供ることが可能となる。
【００１８】
第４の発明は、流路の一部に流量検知手段を設け、前記流量検知手段で所定流量以下を検知した場合、流路切換手段により流れ方向を変更するようにしたもので、流量の変化でフイルターのつまり具合が分かるので、所定流量以下になったら都度流れ方向を変えてフイルターに付着した異物を、効率的にはじきとばすことが可能となり、より大気導入時の流量を長期的に確保できるようになる。
【００１９】
第５の発明は、流路の閉塞状態を検知する閉塞検知手段もしくは閉塞状態を推定する閉塞推定手段を有し、所定ガスの富化動作中に前記閉塞検知手段もしくは前記閉塞推定手段により閉塞状態が検知あるいは推定された場合に、閉塞状態検知あるいは推定が解除されるまでの間、流路切換手段により空気を室内側から室外側へ流すようにするもので、凍結による閉塞部分の圧力が下がり、融点及び沸点を下げ気化し解凍することが可能となる。即ち富化ガス流路内部に自己解凍機能を備えることになり、信頼性の高いガス富化装置を実現することが可能となる。
【００２０】
第６の発明は、上記請求項１〜５のいずれか１項記載のガス富化装置を具備するとともに、室内側に富化ガスを放出する送風手段を有する送風装置としたもので、送風手段により、酸素などのガス富化空気が室内に均等に送風されるので、室内の誰もが非常に快適に、しかも新鮮な気分に浸る事ができるようになる。
【００２１】
以下、本発明の実施の形態について、図面を参照しながら説明する。なお、この実施の形態によって本発明が限定されるものではない。
【００２２】
（実施の形態１）
以下に、本発明の第１の実施の形態を図１〜図４を用いて説明する。
【００２３】
図１は、ガス富化装置の一種である酸素富化空気を得るための酸素富化装置の略図である。
【００２４】
図１において、酸素富化装置２は、酸素富化膜ユニット６と、四方弁からなる流路切換手段７と、ガス富化膜を有する酸素富化膜ユニット６の二次側（下流側）と流路切換手段７とを連通する接続管Ａ６ａと、差圧発生手段３と、流路切換手段７と差圧発生手段３の吸入側を連通する差圧発生手段吸入管１１と、差圧発生手段３の吐出側と流路切換手段７を連通する差圧発生手段吐出管１２と、流路切換手段７から室内に延設される経路１と、酸素富化膜ユニット６の下流側に接続された接続管Ａ６ａと外気を連通するとともに途中に開閉手段４を有する接続管Ｂ６ｂとから構成されている。  ９は制御判断装置で、制御要求信号により酸素富化機能と排気機能の切換を判断し、流路切換手段７、差圧発生手段３、開閉手段４に指令信号を送信するものである。５は、接続管Ｂ６ｂの解放端に設けら
れ、塵埃を捕集するメッシュ状のフイルターである。
【００２５】
なお、酸素富化膜ユニット６の１次側（大気側）には、その近傍に滞留する窒素富化空気を排気するためのファン（図示せず）を配置しておき、酸素富化装置２の運転に連動して動作させるとよい。
【００２６】
次に、図１、図２で実際の流路切換操作概略を説明する。通常の酸素富化装置として使用する場合、開閉手段４は閉じた状態で維持され、流路切換手段７は実線で示す経路を確保した状態になっており、差圧発生手段３の運転により、外気が矢印１５ａで示されるように酸素富化膜ユニット６に吸引され、酸素富化ガスが生成され、それが経路１を経て室内に吐出するようになっている。
【００２７】
そして、室内の空気を排気する場合は、制御判断装置９が各部に指令信号を送ると、流路切換手段７は点線で示す経路に切り替わり、かつ開閉手段４が開放され、室内の空気は、経路１を経て、差圧発生手段３で吸引され、開閉手段４を経由して、接続管Ｂ６ｂの解放端に設けたフイルター５から矢印１５ｂのように排出される。
【００２８】
また、外気温度が低下してくると、接続管Ａ６ａ、差圧発生手段吐出管１２内に結露が生じ、それが酸素富化空気で押されて破裂音（ピチピチ、コポコポ音）が生じる事がある。この場合は、除湿運転が必要になる。具体的には、開閉手段４を開いた状態で、通常の酸素富化装置として運転する（図２において、流路切換手段７を実線で示す経路にする）。そうすると、外気は、酸素富化膜ユニット６側と、接続管Ｂ６ｂ側の両方から吸引されるが、酸素富化膜ユニット６に較べ接続管Ｂ６ｂのほうが流通抵抗が小さいので、矢印１５ｃで示されるように、接続管Ｂ６ｂ側から多量のしかも比較的乾燥した大気が導入され、それが、接続管Ａ６ａ、差圧発生手段吐出管１２内の結露状態を緩和する方向に作用するとともに、多量の外気導入で、風速が上り、結露水の蒸発が促進され、室内側に容易に押し出されて行く。
【００２９】
更に、万一結露水が経路内で氷結しても、相当風速で氷結を室内機側に押し出すようにすることもできる。また、フイルター５が接続管Ｂ６ｂの解放端に設けられているので、外気を導入する際、その中にごみが混じっていても、フイルター５で捕集され、室内に流入する事が無く、衛生的である。
【００３０】
以上のように、本実施の形態によれば、室内に酸素富化空気を得る場合も、室内の空気を排出する場合も、同一の配管で済むので、施工工事も簡素化され、安価なガス富化装置を提供することができる。
【００３１】
図３及び図４は第１の実施の形態の他の例を示すもので、第１の実施の形態の流路切換手段７を省略し、その代わりに、吸入側と吐出側が切り替えられる可逆式の差圧発生手段３ａを採用したもので、差圧発生手段３ａの運転の切り替えで自在に酸素富化機能と排気機能を切り替えることができる。この例の場合は、  流路切換手段７が不用になると共に、配管もより簡素化され、施工工事がさらに容易になるものである。特に図示しないが、いくつかの遮蔽弁を組み合わせることにより流路を切り替える構成であっても構わない。
【００３２】
（実施の形態２）
次に、本発明の第２の実施の形態について、図５、図６を用いて説明する。なお、上記実施の形態と同一部分については、同一符号、同一名称を用いてその説明を省略する。
【００３３】
図５に示すように、本実施の形態は、酸素富化膜ユニット６側の接続管Ａ６ａに、その通路を開閉する富化膜側開閉手段８を設けたものである。図６は様々な運転モードにおけ
る各部品の動作を表にまとめたものである。制御判断装置９が排気機能の指令を判断した場合、富化膜側開閉手段８を閉（ＣＬＯＳＥ）にすることで、排気時の空気が酸素富化膜ユニット６に侵入することが防止され、酸素富化膜ユニット６への逆圧印加を防止し酸素富化膜ユニット６の破損、破れを防止し、信頼性を向上させることができる。
【００３４】
この場合の富化膜側開閉手段８は、直接流路を遮断するようなものだけでなく片方向のみにのみ流れる可逆的な構造をもつものであってもよい。更に開閉手段４と流路切換手段７、差圧発生手段３の動作に時間差を設けることでより逆圧印加を防止する構成を採用してもよい。
【００３５】
接続管Ａ６ａ、差圧発生手段吐出管１２内に結露が生じている状態で、外気温度が０℃以下になると、その結露が凍結する恐れが出てくる。この場合には、凍結防止運転を行うようにする。具体的には、富化膜側開閉手段８を開くと共に、第１の実施の形態で述べた除湿運転、すなわち、開閉手段４も開いた状態で、通常の運転を行う。すると、流速が大きく、相対的に乾燥した外気が経路中の結露水の水滴の小さい内に氷結を飛ばし、経路の通気を確保することができる。
【００３６】
（実施の形態３）
次に、本発明の第３の実施の形態について、図７乃至９を用いて説明する。なお、上記実施の形態と同一部分については、同一符号、同一名称を用いてその説明を省略する。
【００３７】
長期間、開閉弁４を解放して運転を実施すると、フィルター５に目詰まりが発生し、図７に示すように、徐々に大気導入時の流量が低下していく。そこで大気導入運転時間もしくは累積運転時間により、定期的（例えば、Ｔ２時間経過毎）に排気運転を実施して、フィルター５に堆積したごみを吹き飛ばす事により、図８のように初期流量Ｑ０まで戻すことができ、低外気温時の富化ガス流路内部の水分を排出するための空気流量、また差圧発生手段３の低温起動時の回転、トルク不足を補助する空気流量を長期的に確保することが可能となる。
【００３８】
図９は、上記第３の実施の形態の他の例を示すもので、低外気温時の富化ガス管路内部の水分を排出するための空気流量、または差圧発生手段３の低温起動時のトルク不足を補助する空気流量Ｑ１を予め設定し、別途設けた富化ガス流量検知手段（図示せず）により大気導入時の富化ガス流量が所定値Ｑ１迄低下したら、排気運転を行うようにすれば、都度初期流量Ｑ０まで戻すことができ、低外気温時の富化ガス流路内部の水分排出するための空気流量、また差圧発生手段３の低温起動時のトルク不足を補助する空気流量を長期的に確保することが可能となる。
【００３９】
なお、開閉手段４の動作時の差圧発生手段３の運転時間や累積運転時間、更には差圧発生手段３の運転電流により、ある程度フイルター５への付着物の量を推定できるので、それに基づき、間欠的に流路切換手段７を動作させたり、あるいは流路切換手段７を動作させる時間や継続させる時間を可変させるものであってもよい。
【００４０】
（実施の形態４）
次に、本発明の第４の実施の形態について、図１０を用いて説明する。なお、上記実施の形態と同一部分については、同一符号、同一名称を用いてその説明を省略する。
【００４１】
本実施の形態は、富化ガス流路内のガスの流速を検知する流速検知手段（図示せず）あるいは、富化ガス流路内のガスの圧力を検知する圧力検知手段（図示せず）を設けたものである。
【００４２】
低外気温時に、富化ガス流路内部の水分が凍結し閉塞状態に至った場合、富化ガスの流速や流路内圧力が変化するので、流路内部の閉塞状態を流速検知手段あるいは圧力検知手段で検知或いは推定することが可能である。
【００４３】
以下、富化ガスの流速を流速検知手段で検知する場合を説明する。図１０のａは富化ガス流速による凍結検知のタイミングである。凍結検知相当流速Ｖ０を下回った状態で一旦酸素富化運転を停止し排気運転に切り替える。凍結による閉塞状態の場合、排気運転中は凍結部分の差圧発生手段３側圧力は負圧になるため、凍結部分の接触面では仮に大気圧上凍結状態である温度でも融点が下がるため徐々に溶け出していく。そして閉塞状態から解除されるｃのタイミングで富化ガス流速は一気に逆方向に流れ出すため凍結解除検知相当流速Ｖ１を上回る。そして酸素富化運転を再開することで、一旦富化ガス管路内部水分が凍結し閉塞状態に至った場合でも、排気運転操作により、自力で解凍処理ができ、信頼性を向上させた酸素富化装置を提供することができる。
【００４４】
なお図１０の富化ガス流速は、酸素富化運転時を正方向に、排気時は負方向に表現しているが、絶対風速でも排気モード中の風速相対変化をみることで検知は可能である。
【００４５】
また図１０の経路１内の圧力は、経路１内が閉塞に至った場合、酸素富化運転中であれば経路圧力は急上昇し、排気運転中であれば負圧になる。そして閉塞が解除された場合は、酸素富化運転中であれば大気圧より若干高めになり、排気運転であればほぼ大気圧と同等になる。これから凍結部分の差圧発生手段３側圧力凍結による閉塞状態の検知推定、及び解凍による開通状態の検知推定は可能である。
【００４６】
以上のように、流速検知手段を閉塞検知手段あるいは閉塞推定手段として用いて、適宜空気の流れ方向を変えて、流路内の閉塞状態を予防したり、解消することで、信頼性の高いガス富化装置を提供する事ができる。また、流速検知手段の代わりに圧力検知手段を閉塞検知手段あるいは閉塞推定手段として使用しても良い。
【００４７】
また、閉塞検知手段及び閉塞推定手段として、差圧発生手段３の運転電流の変化を検知して行うものでもよい。
【００４８】
（実施の形態５）
次に、本発明の第５の実施の形態について、図１１を用いて説明する。なお、上記実施の形態と同一部分については、同一符号、同一名称を用いてその説明を省略する。
【００４９】
本実施の形態は、上記各実施の形態で述べた酸素富化装置２を、送風装置の一種である空気調和機に採用したもので、室外機１０は、圧縮機１８、熱交換器２０、熱交換器２０に風を送る室外ファン１９と、酸素富化装置２を内蔵している。また、室内機１７は、吹き出し口１４と、送風機１３と、酸素富化ガス吹き出し口１６を備え、前記酸素富化ガス吹き出し口１６と酸素富化装置２は、経路１で接続され、  酸素富化装置２で得られた酸素富化ガスが、送風機１３により平均的に攪拌され、酸素富化ガス吹き出し口１６から吐き出されるようになっている。
【００５０】
以上の構成により、空気調和機の本来の暖房、冷房機能に加え、酸素富化ガスが部屋内にいきわたらせることができるので、非常に快適で、しかも常に新鮮な気分に浸れるようになる。
【産業上の利用可能性】
【００５１】
以上のように、本発明にかかるガス富化装置は、簡単な施工工事でしかも安価に、ガス富化機能と、空気の排気機能の両方を備えているので、上記空気調和機に加え、車両用空
気調和装置、一体形空気調和装置、空気清浄機、医療用酸素富化装置、携帯用酸素富化装置、燃焼機器用酸素富化装置、冷蔵庫など鮮度保持に用いる窒素富化装置などに適用しても同様の効果を奏するものである。
【図面の簡単な説明】
【００５２】
【図１】本発明の第１の実施の形態を示す酸素富化装置の構成概略図
【図２】同酸素富化装置の流路切換操作を示す概略図
【図３】同実施の形態の他の例を示す酸素富化装置の構成概略図
【図４】同酸素富化装置の流路を示す概略図
【図５】本発明の第２の実施の形態を示す酸素富化装置を要部の構成を示す図
【図６】同酸素富化装置の各種運転モードの動作表を示す図
【図７】本発明の第３の実施の形態を示す酸素富化装置の導入空気の流量推移を示す図
【図８】同酸素富化装置の排気運転を示す流量特性図
【図９】同実施の形態の他の例を示す酸素富化装置の流量特性図
【図１０】本発明の第４の実施の形態を示す酸素富化装置の運転動作を示すタイムチャート
【図１１】本発明の第５の実施の形態を示す送風装置の構成概略図
【符号の説明】
【００５３】
１    経路
２    酸素富化装置
３    差圧発生手段
３ａ  可逆式差圧発生手段
４    開閉手段
５    フィルター
６    酸素富化膜ユニット（ガス富化膜）
６ｂ  接続管Ｂ（連通路）
７    流路切換手段
８    富化膜側開閉手段
９    制御判断装置
１０    室外機
１１    差圧発生手段吸入管
１２    差圧発生手段吐出管
１３    送風機
１４    室内吹き出し口
１６    酸素富化ガス吹き出し口
１７    室内機
１８    圧縮機
１９    室外ファン
２０    熱交換器
【図１】
2005058938.tif 000003
【図２】
2005058938.tif 000004
【図３】
2005058938.tif 000005
【図４】
2005058938.tif 000006
【図５】
2005058938.tif 000007
【図６】
2005058938.tif 000008
【図７】
2005058938.tif 000009
【図８】
2005058938.tif 000010
【図９】
2005058938.tif 000011
【図１０】
2005058938.tif 000012
【図１１】
2005058938.tif 000013